(57)【要約】      （修正有）【課題】保存期間が長く、省エネで環境にやさしい燕麦貯蔵装置を提供する。【解決手段】装置の側壁、頂部及び底部は、いずれも保温構造であり、前記保温構造は内側から外側に向かって、内保温層、中間保温層及び外保温層に分かれる。底部の保温構造は、地面から１．５ｍ以下の深さに位置する。【選択図】図１
0003181141.tif 000002
【実用新案登録請求の範囲】
【請求項１】
燕麦貯蔵装置であって、前記装置の側壁、頂部及び底部は、いずれも保温構造であることを特徴とする燕麦貯蔵装置。
【請求項２】
前記保温構造は内側から外側に向かって、内保温層（１）、中間保温層（２）及び外保温層（３）に分かれることを特徴とする請求項１に記載の装置。
【請求項３】
前記底部の保温構造は地面の下に位置することを特徴とする請求項１または２に記載の装置。
【請求項４】
前記底部保温構造の地面からの深さは１．５ｍ以下であることを特徴とする請求項１〜３の何れかに記載の装置。
【請求項５】
前記装置の底部に降温システムが設けられることを特徴とする請求項１〜４の何れかに記載の装置。
【請求項６】
前記装置に通風気流を反転する反転機構が設けられることを特徴とする請求項１〜５の何れかに記載の装置。
【請求項７】
燕麦積み中心に温度検知器が取り付けられることを特徴とする請求項１〜６の何れかに記載の装置。
【考案の詳細な説明】
【技術分野】
【０００１】
本考案は穀物貯蔵技術分野に関し、特に保存期間が長く、省エネで環境にやさしい燕麦の貯蔵装置に関する。
【背景技術】
【０００２】
燕麦は一年草のイネ科の植物で、昔から今までずっと中国の西部の主な穀物と飼料作物であり、燕麦は冷涼で湿った気候条件に適合し、耐乾性、耐塩性で、日差しを好み、高冷地域、標高の高い地域で生産される。
【０００３】
燕麦が機能性食品であるとアメリカFDA（食品医薬品局）によって認定され、栄養が豊富なだけではなく、コレステロールを下げ、便通解毒し、血糖を下げ、血中脂質量を下げ、腎機能を増加し、抗酸化機能を有し、免疫力を調節し、肌を美しく、細胞を活性化し、生理的なバランスを調節することもできる。珍しい健康の穀物であり、欧米の先進国では「穀物の王」「貴族食品」と高く評価されている。
【０００４】
「黄帝内経 臓気法時論」には、「毒薬攻邪、五穀為養、五果為助、五菜為充」が記載されている。即ち、体の栄養バランスを保証する要素において、五穀の雑穀が基礎であり、燕麦の栄養価値が五穀の第一位であることが述べられている。また、古代中国において、李時珍の「本草綱目」にも、燕麦粟は、寒冷で乾燥しているが、日照が十分な北西高原から生産され、「悩みを取り除いて心を養い、血糖を下げて元気になり、腎機能を増加し、肌を美しくする」という効き目を有すると、記載されている。
【０００５】
現在、燕麦貯蔵の一般的な方式において、最も典型的な方式として、乾燥後燕麦を穀物倉に堆積する。該方式は、穀物倉内の燕麦がほぼ乾燥しているため、穀物倉内に長期貯蔵できるが、事前に乾燥工程を経由しなければならなく、穀物は乾燥によって水分が失われるため、変質、壊れやすく、将来食用する時、燕麦本来の味も失われる。
【０００６】
普通の貯蔵方式を採用すると、燕麦の温度は外温に大きく影響され、外温が高い時、燕麦の温度も高くなり、燕麦自身の生理活動と虫黴の広がりが速く、燕麦の保存期間が短く、長期間貯蔵すると燕麦の品質に影響を与えており、虫黴の広がりを抑制するために、燕麦積みの中に化学燻蒸剤を入れる必要があって、燕麦汚染を引き起こす危険因子が存在し、また、低酸素にするために、気密処理を行う必要があって、人的資源の必要量が大きく、気密処理が失効した後、燻蒸ガスが周囲環境に漏れる可能性があり、作業員の身の安全被害をもたらす、という問題がある。
【０００７】
文献ＣＮ２３６８２７１Ｙは、穀物倉の地面及び側壁には、いずれも断熱材で外界の温度を遮断する断熱層が形成され、該穀物倉の両外側には、それぞれ冷蔵システム及び搬送ベルトが設けられ、穀物倉内部の地面には、それぞれ複数の凹槽及び穀物誘導槽が設けられ、凹槽内には、冷蔵システムと連通する気送管システムが設けられ、穀物誘導槽内には、穀物を搬送ベルトに搬送することができる搬送スクリューが設けられ、穀物が穀物倉内に蓄積し、且つ冷蔵システムによって吸冷空気を気岐管から上に向けて穀物倉内に充満させ、穀物を取り出す際は、穀物を搬送スクリューによって搬送ベルトに送ることで、良好な穀物の貯蔵及び搬送の機能が実現される、改良型バルク穀物倉に関する。
【０００８】
以上の問題を解決し、燕麦の長期間貯蔵における品質を保証するとともに、省エネの要求も満たすために、新しい燕麦貯蔵装置及び貯蔵方法を必要している。
【考案の概要】
【０００９】
本考案の目的は、従来の技術問題に対して、保存期間が長く、また省エネで環境にやさしい燕麦貯蔵装置を提供することにある。
【００１０】
この目的を果たすために、本考案は以下の技術案を採用する。
燕麦貯蔵装置であって、前記装置の側壁、頂部及び底部はいずれも保温構造であり、前記保温構造は内側から外側に向かって、内保温層、中間保温層及び外保温層に分かれる。本考案の前記［保温］とは、冬には暖かくし、夏には断熱する、本当の保温をいい、壁或いは外フェンス構造を築造する保温材或いは製品であり、冬に熱量の損失を阻止し、夏に外部の熱量を遮断して、安定した室温を維持する能力を意味する。「保温構造」とは、通常、取り囲む構造（屋根、外壁、ドアや窓を含む）を指し、冬には室内から室外への熱伝達、夏には外から内への伝達を阻止することで、室内が適当な温度を保持するようにする。
【００１１】
本考案において、装置の側面、頂部及び底部には、いずれも保温構造が設置され、装置に貯蔵される燕麦を全方位から保温し、装置内と外界の熱交換経路を切断し、熱橋効果を避けるため、良好な省エネ効果を有する。同時に、本考案の燕麦貯蔵装置は、従来の技術のように地面そのものが保温装置ではなく、地面から１．５ｍの深さに保温層が設置され、燕麦貯蔵装置の中では依然として地面であることで、燕麦を地面の上に貯蔵させ、従来の技術のように地気と隔絶されることなく、燕麦をその生長土壌とずっと接触させ、依然として地気に触れ、燕麦粒の活性をもっと保ちやすくする。本考案は内保温層、中間保温層及び外保温層を設置して３層の保温障壁とし、貯蔵装置内の温度をほぼ一定に維持させ、品質がほぼ安定である燕麦の保存期間は１０年程度までに達することができる。
【００１２】
冬には、装置内の熱量が３層の保温構造を通過しようとする際、効率的に遮断されることで、内部熱量の消費を低下させる。夏には、３層の保温構造は同様に太陽輻射及び外部熱量の装置への伝達を阻止することにより、内部において冬は暖かく、夏は涼しい快適な環境を構築する。中国の北方では、夏の期間が特に短く、２０℃の気温より高い期間が長くないため、本考案の燕麦貯蔵装置を採用することで、毎年の夏に、燕麦貯蔵装置の温度を１〜２回下げるだけで、燕麦貯蔵装置の温度を５〜１５℃に維持できる。同時に、本考案の燕麦貯蔵装置を採用すると、その独特な保温層の設定により、冬でも、燕麦粒等が自然に呼吸して熱量を放出するため、それに熱を１〜２回供給するだけで、さらに加熱する必要すらなく、燕麦貯蔵装置内の温度を５〜１５℃に保持することを実現できる。
【００１３】
本考案の前記外保温層はポリウレタンが射出されている射出鋼線網フレームワーク板である。前記鋼線網フレームワーク板は鋼線網を貯蔵装置のフレームに作成してなり、装置の基本形状を形成する。ポリウレタン材を鋼線網フレームワーク板に射出することにより、貯蔵装置の耐荷重の要求を満たし、硬質ポリウレタン・フォーム保温材に多機能を持たせるとともに、保温、防水、遮音、振動減少等の機能も持たせる。保温性能が優れ、現在中国のすべての建築材料において熱伝導率が最も低く（≦０．０２４）、熱抵抗が最も高い保温材料であり、熱伝導率がＥＰＳ発泡ポリスチレン板の半分でしかない。硬質ポリウレタン発泡体の連続的で緻密な表皮と100％に近い高強度の相互接続壁の閉気孔は、望ましい不透水性を有する。
【００１４】
本考案の前記中間保温層は保温断熱板であり、発泡ポリスチレン板、カラー鋼板或いは硬質ポリウレタン発泡体保温板中の１種或いは少なくとも２種の混合板が好ましく、硬質ポリウレタン発泡体保温板がさらに好ましい。発泡ＰＳ板の全称は発泡ポリスチレンボードで、また、発泡ボードまたはＥＰＳボードと呼ばれ、揮発性液体発泡剤を含む発泡性ポリスチレンビーズを、加熱して予備発泡させた後、金型で加熱成形した微細な閉気孔構造を持つ白い固体であり、建物の壁、部屋の保温、複合の保温板材の保温層に用いられる。カラー鋼板のコーティングは冷延鋼板、亜鉛めっき鋼板を、表面化学処理した後、有機フィルム（ＰＶＣフィルム等）をコーティング（ローラー塗り）又は複合化し、その後、焼成・硬化して、作成される製品である。カラー鋼板は鋼材が機械強度が高く、成形しやすい性能があるだけではなく、コーティング材料の優れた装飾性と耐食性も重ね備え、軽量、高強度、保温断熱、美しく、耐久性がある等のメリットを有する。硬質ポリウレタン発泡体保温板の保温性能が優れるため、現在国内のすべての建築材料において熱伝導率が最も低い（≦０．０２４）、熱抵抗が最も高い保温材料であり、熱伝導率が発泡ポリスチレン板の半分でしかないため、本考案では、硬質ポリウレタン発泡体保温板が好ましい。
【００１５】
本考案の前記内保温層はミネラルウール、超極細グラスウール、微小孔ケイ酸カルシウム或いは膨張パーライト中の１種或いは少なくとも２種の混合物を選択して用い、ミネラルウールがさらに好ましい。ミネラルウールは鉱綿と略称され、難燃性、防カビ性、防虫性などの性能がり、吸音、耐衝撃、断熱の材料として用いられる。ミネラルウールは鉱物材によって製造された綿毛状の短くて細い繊維であり、ロックウールと鉱滓綿が含まれ、天然岩石或いは冶金スラグをキューポラ或いはタンク窯などの設備内で熔融させた後、射出法或いは遠心によって作成される。超極細グラスウール断熱材は、石英砂、長石、ケイ酸ナトリウム、ホウ酸等を主要原料として、高温熔融によって２μｍより小さい繊維綿状に製造され、さらに熱硬化性樹脂接着剤を加え、高温加圧固形化し各種の形状、規格に製造された板、カーペット、パイプ製品である。その表面にはさらにアルミニウム箔やＰＶＣフィルムも貼り付けられる。該製品はかさ密度が軽く、熱伝導率が小さく、吸収係数が大きく、難燃性がよく、熱力設備、エアコンの恒温、高低温配管、オーブン、冷蔵鮮度保持及び建物の保温、断熱、防音等に幅広く利用される。微小孔ケイ酸カルシウムは新規の保温材料であり、それはかさ密度が軽く、熱伝導率が小さく、耐屈曲、耐圧強度が高く、耐熱性がよく、非毒性、難燃性で、鋸切りが可能であり、加工しやすく、配管や設備を腐食しないといった利点があり、現在の電力、石油、化学工業、冶金等の方面において、一番人気がある新規の硬質保温材料である。膨張パーライトはパーライト鉱石が予熱されて、瞬時に高温で焼成膨張して製造された内部がハニカム状構造である白い粒状の材料である。その原理は、パーライト鉱石が粉砕されて一定の粒径の鉱砂を形成し、予熱焼成によって、急速に加熱されて（１０００℃以上）、鉱砂中の水分が気化して、軟化されたガラス質含有鉱砂内部で膨張し、多孔質構造の、体積が１０〜３０倍に膨張した非金属鉱物製品が形成されることである。
【００１６】
本考案の前記底部保温構造は地面の下に位置し、好ましくは、その深さが１．５ｍ以下である。装置底部保温構造を地下に設置して、基本的な保温を行ない、保温構造の設置は地面温度が燕麦に与える影響を防止でき、燕麦と土壌の熱交換経路を切断し、熱橋効果を避け、燕麦の保存期間を延長する。同時に、本考案の燕麦貯蔵装置は、従来の技術のように地面自体が保温層であることではなく、地面から１．５ｍの深さに保温層が設置され、燕麦貯蔵装置の中では、燕麦を地面の上に貯蔵させ、従来の技術のように地気と隔絶されることなく、燕麦をその生長土壌とずっと接触させ、依然として地気に触れ、燕麦粒の活性をもっと保ちやすくする。
【００１７】
本考案の前記装置は降温システムが設置される。さらに、前記降温システムは燕麦貯蔵装置内の温度を下げるために、例えば装置に冷気を入れることで降温の目的を達成できる。本考案の前記降温システムは倉内の温度を下げる機能を発揮できればよく、特に制限されない。好ましくは、前記降温システムは、燕麦粒の直接の降温を容易にするために、前記燕麦貯蔵装置の底部に設置されることが可能である。
本考案の前記装置に反転機構が設けられる。前記反転機構は通風気流の反転機構であることが好ましい。燕麦粒が一緒に堆積されて、燕麦粒が依然として活性を保持するため、それは必然的に新陳代謝を行ない、これにより、一定の熱量を発散する。前記発散した熱量は燕麦積みの中に蓄積し、燕麦積みの中心に行くほど、熱量の蓄積が多く、燕麦の温度が高くなるため、前記装置に、堆積された燕麦に対して通風気流の反転を行なうための通風気流の反転機構を設置し、燕麦積みの中心内部の熱量を表面に反転し、表面の燕麦粒の近くの気流を内部に反転して循環することにより、燕麦積みにおける燕麦粒温度と燕麦貯蔵装置の温度を均一に保持し、呼吸作用を弱めて、エネルギー消費量を減らし、燕麦の栄養素の活性を保持し、保存期間を延長させる。
【００１８】
燕麦積みの温度の監視を便利にするために、本考案は燕麦積みの中の温度を監視するための温度センサが設けられることが好ましい。例えば、燕麦積みの中心に温度検知器を取り付けてもよく、外部にリモートセンシングの温度センサを設置してもよく、当業者は具体的な工程条件と工程要求によって具体的に選択できる。本考案は温度検知器によって燕麦積み中心の温度を監視し、燕麦積みの中の温度が設定の温度より高い時、例えば１５℃より高い時、通風気流の反転機構を手動又は自動的に始動し、燕麦積みの中心の熱量を表面に反転し、麦積みの外部の気流を内部に反転し、燕麦積みにおける燕麦粒温度と燕麦貯蔵装置の温度を均一に保持し、貯蔵効果を保証できる。
【００１９】
本考案の他の目的は、前記燕麦貯蔵装置内の温度が５〜１５℃であり、温度検知器によって検出された温度が１５℃より高い時、通風反転機構を始動し、燕麦に対して通風反転を行って降温する、燕麦貯蔵方法を提供することにある。
【００２０】
毎年の夏には、気温が比較的に高い時、装置底部の降温システムを始動し、燕麦に対して降温を行ない、装置内の温度を５〜１５℃に維持させる。他の季節には、通常、降温システムを始動する必要がない。貯蔵装置内の温度が５〜１５℃にある時、断熱構造の機能によって、倉内と外界の熱交換量が非常に小さいため、複数回の降温をしなくても好適な温度を維持できる。
【００２１】
既存の技術に比べて、本考案は以下のような有益な効果がある。
本考案装置は、燕麦を低温冷蔵技術を採用して貯蔵し、燕麦の品質がほぼ安定であることを保証でき、燕麦の貯蔵期間を延長するとともに、低温冷蔵技術が環境に優しい穀物貯蔵技術であるため、化学燻蒸剤の量の減少に役立ち、環境汚染を防止する。
【００２２】
本考案装置及び方法によって燕麦を全方位から低温冷蔵し、貯蔵装置内の温度を５〜１５℃に維持させることにより、燕麦は１０年間保存においても品質がほぼ安定し、活性の低下が３０％を超えないことを保証できる。
【図面の簡単な説明】
【００２３】
【図１】図１は本発明装置の側断面図である。
【図２】図２は本発明装置の正面図である。
【図３】図３は本発明装置の保温構造層の模式図である。
【考案を実施するための形態】
【００２４】
図面において、１-内保温層、２-中間保温層、３-外保温層、４-ポリウレタン、５-鋼線網フレームワーク板である。
【００２５】
以下は、本考案をさらに詳しく説明する。ただし、下記の実施例は本考案の簡単な例に過ぎず、本考案の権利保護範囲を代表或いは制限するものではなく、本考案の権利範囲は特許請求の範囲を基準とする。本発明を説明しやすくするために、本出願明細書において、燕麦貯蔵装置が長方形であると述べられているが、当業者には、長方形（燕麦貯蔵装置）以外の他の形状、例えば円筒形、五角形、半円形及び他の形状がいずれも利用可能で、それらも本考案の保護範囲内に属することが知られている。
【００２６】
本考案をより良く説明し、本考案の技術案を理解しやすくするために、本考案の典型的で非制限的な実施例は以下の通である。
【００２７】
第１実施形態
燕麦貯蔵装置であって、前記装置の側壁、頂部及び底部はいずれも保温構造であり、前記保温構造は内から外に向かって、内保温層１、中間保温層２及び外保温層３に分かれている。前記外保温層３はポリウレタン４が射出された鋼線網フレームワーク板５である。前記中間保温層２は発泡ポリスチレン板である。前記内保温層１はミネラルウールを選択して用いる。前記底部保温構造は地面から１．５ｍ下に位置する。前記装置の底部に降温システムが設けられ、前記降温システムは装置へ冷気を入れることで降温の目的を達成する。前記装置に反転機構が設けられ、燕麦積みの中心に温度検知器が取り付けられている。
【００２８】
１年間の本装置の使用において、夏の時、冷気を入れて１回降温して、１年後に、燕麦粒の活性を測定した結果、５％程度しか低下していない。
【００２９】
第２実施形態
燕麦貯蔵装置であって、前記装置の側壁、頂部及び底部はいずれも保温構造であり、前記保温構造は内から外に向かって、内保温層１、中間保温層２及び外保温層３に分かれている。前記外保温層３はポリウレタン４が射出された鋼線網フレームワーク板５である。前記中間保温層２はカラー鋼板である。前記内保温層１は超極細グラスウールを選択して用いる。前記底部保温構造は地面から１．３ｍ下に位置する。前記装置の底部に降温システムが設けられ、前記降温システムは装置へ冷気を入れることで降温の目的を達成する。前記装置に反転機構が設けられ、燕麦積みの中心に温度検知器が取り付けられている。
【００３０】
２年間の本装置の使用において、夏の時、冷気を入れて１回降温し、冬の時、１回加熱して、２年後に、燕麦粒の活性を測定した結果、８％程度しか低下していない。
【００３１】
第３実施形態
燕麦貯蔵装置であって、前記装置の側壁、頂部及び底部はいずれも保温構造であり、前記保温構造は内から外に向かって、内保温層１、中間保温層２及び外保温層３に分かれている。前記外保温層３はポリウレタン４が射出された鋼線網フレームワーク板５である。前記中間保温層２は硬質ポリウレタン発泡体保温板である。前記内保温層１は微小孔ケイ酸カルシウムを選択して用いる。前記底部保温構造は地面から１．５ｍの下に位置する。前記装置の底部に降温システムが設けられ、前記降温システムは装置へ冷気を入れることで降温の目的を達成する。前記装置に反転機構が設けられ、燕麦積みの中心に温度検知器が取り付けられている。
【００３２】
２年間の本装置の使用において、夏の時、冷気を入れて２回降温して、２年後に、燕麦粒の活性を測定した結果、１０％程度しか低下していない。
【００３３】
本考案が提供する燕麦貯蔵方法は、前記燕麦貯蔵装置内の温度は５〜１５℃であり、燕麦の温度が１５℃より高い時、反転機構を動かし、燕麦に対して通風気流の反転を行う。夏の気温がより高い時、装置内の降温システムを始動し、装置を降温させ、冬の気温が比較的に低い時、装置内の通風装置を始動し、自然温度空気を利用して通風気流の反転を行い、ドアや窓をタイムリーに閉じ、保温・断熱して、装置内の温度を５〜１５℃に維持させる。
【００３４】
出願者は、本考案が前記実施例によって本考案の詳細な構造の特徴及び実施方法を説明したが本考案は前記詳細な構造の特徴及び貯蔵方法に限定されるわけではなく、即ち本考案が前記詳細な構造の特徴及び貯蔵方法に依存しなければ、実施できないということを意味するものではないことを声明する。当業者は、本考案に対する如何なる改良、本考案が選択して用いる部材の等価置換及び補助部材の増加、具体的な形態の選択などは、いずれも本考案の保護範囲及び開示範囲に属すことを、理解すべきである。
【図１】
0003181141.tif 000003
【図２】
0003181141.tif 000004
【図３】
0003181141.tif 000005
【手続補正書】
【提出日】平成24年11月14日(2012.11.14)
【手続補正１】
【補正対象書類名】実用新案登録請求の範囲
【補正対象項目名】全文
【補正方法】変更
【補正の内容】
【実用新案登録請求の範囲】
【請求項１】
燕麦貯蔵装置であって、前記装置の側壁、頂部及び底部は、いずれも保温構造であり、
前記保温構造は内側から外側に向かって、内保温層（１）、中間保温層（２）及び外保温層（３）に分かれることを特徴とする燕麦貯蔵装置。
【請求項２】
前記底部の保温構造は地面の下に位置することを特徴とする請求項１に記載の装置。
【請求項３】
前記底部保温構造の地面からの深さは１．５ｍ以下であることを特徴とする請求項１または２に記載の装置。
【請求項４】
燕麦積み中心に温度検知器が取り付けられることを特徴とする請求項１〜３の何れかに記載の装置。